(57)【要約】  乳児用寝台が記載されている。この寝台は、４本の短い脚と、これらの脚に支持されたフレームと、フレームに吊られた状態になる新生児用籠型ベッドとを具えている。この寝台は、独立した状態で使用する際には脚の上に載せることができ、あるいは、ベッドサイドの寝台として使用する際にはプレイヤードの上に装着できる。プレイヤード上に装着した場合は、寝台のベッド表面が成人用ベッドと概ね同じ高さになる。【選択図】図６
2011500165.tif 000002
【特許請求の範囲】
【請求項１】
乳児用寝台において：
少なくとも４本の脚と、
それぞれ前記脚の上端に取付けた少なくとも４個の連結ブロックと、
前記連結ブロックに連結して、フレームを形成する４本のサイドレールバーと、
前記４本のサイドレールバーのうちの少なくとも２本に取付けて新生児用籠型ベッドを形成する複数のウエビングと、を具え、
前記新生児用籠型ベッドの深さが、前記脚の長さより短いことを特徴とする乳児用寝台。
【請求項２】
請求項１に記載の寝台において、前記４個の連結ブロックが、それぞれフックを具えることを特徴とする寝台。
【請求項３】
請求項１に記載の寝台が更に、
２本の対向するサイドレールバーの間に連結されこの間に延在するクロスバーを具え、
前記複数のウエビングが、前記２本の対向するサイドレールバーと、前記クロスバーと、当該クロスバーに対向するサイドレールバーの内の１本に取付けられていることを特徴とする寝台。
【請求項４】
請求項１に記載の寝台において、前記フレームのサイズが、約２４インチ×２７インチであることを特徴とする寝台。
【請求項５】
請求項１に記載の寝台において、前記新生児用籠型ベッドの深さが、約４インチであることを特徴とする寝台。
【請求項６】
請求項５に記載の寝台において、前記脚の長さが、約５インチであることを特徴とする寝台。
【請求項７】
請求項１に記載の寝台が更に、
前記フレームに連結されて当該フレームの上方に延在する複数の縦型ポストと、
当該縦型ポストとフレームによって支持される複数本のトップレールと、を具えることを特徴とする寝台。
【請求項８】
請求項１に記載の寝台において、前記脚と前記連結ブロックがプラスチック製であり、前記サイドレールバーが管状の金属材料でできており、前記ウエビングがナイロン製であることを特徴とする寝台。
【請求項９】
乳児用寝台システムにおいて：
サポートフレームと、当該サポートフレームに取り付けて吊されている新生児用籠型ベッドとを具え、
前記サポートフレームの深さが前記籠型ベッドの深さより深い寝台と、トップフレームを有するサポート構造と、を具え、
前記寝台が、前記サポート構造体のトップフレームに取外し可能に装着され、吊られていることを特徴とする乳児用の寝台システム。
【請求項１０】
請求項９に記載の寝台システムにおいて、前記寝台のサポートフレームのサイズが約２４インチ×２７インチであり、深さが５インチであることを特徴とする寝台システム。
【請求項１１】
請求項９に記載の寝台システムにおいて、前記新生児用籠型ベッドの深さが、約４インチであることを特徴とする寝台システム。
【請求項１２】
請求項９に記載の寝台システムにおいて、
前記寝台のサポートフレームが、少なくとも４本の脚と、当該脚の各々の最上端にそれぞれ取付けた少なくとも４個の連結ブロックと、当該連結ブロックに連結された４本のサイドレールバーとを具え、
前記脚の長さが、前記新生児用籠型ベッドの深さよりも長く、
前記新生児用籠型ベッドが、前記４本のサイドレールバーのうちの少なくとも２本に取付けた複数のウエビングを具える、ことを特徴とする寝台システム。
【請求項１３】
請求項１２に記載の寝台システムにおいて、
前記サポート構造が更に、４本の縦型ポストを具え、
当該サポート構造のトップフレームが、前記縦型ポストの上端近傍に連結され、
前記トップフレームが、前記縦型ポストの下端から上方約２８インチの高さにある、ことを特徴とする寝台システム。
【請求項１４】
請求項１２に記載の寝台システムにおいて、前記寝台の４個の連結ブロックが、それぞれ、前記サポート構造のトップフレームの上にフックを具えることを特徴とする寝台システム。
【請求項１５】
請求項１２に記載の寝台システムにおいて、
前記寝台が更に、２本の対向するサイドレールバーの間に連結されて、延在するクロスバーを具え、
前記複数のウエビングが、当該２本の対向するサイドレールバーと、当該クロスバーと、当該クロスバーに対向するサイドレールバーのうちの１本とに取付けられていることを特徴とする寝台システム。
【請求項１６】
請求項１２に記載の寝台システムにおいて、前記寝台が、前記サポートフレームに連結され、上方に延在する複数本の縦型ポストと、当該縦型ポストと前記サポートフレームとによって支持されている複数の湾曲したトップレールとを具える、ことを特徴とする寝台システム。
【請求項１７】
請求項１２に記載の寝台システムにおいて、前記脚と前記連結ブロックがプラスチック製であり、前記サイドレールバーは管状金属材料でできており、前記ウエビングがナイロン製であることを特徴とする寝台システム。
【発明の詳細な説明】
【技術分野】
【０００１】
本願は、２００７年１０月９日付出願の米国特許仮出願第６０／９７８，７３２号に基づいて優先権を主張するものであり、ここではその全体を引用として組み込んでいる。
【背景技術】
【０００２】
（発明が属する分野）
本発明は、乳児用の寝台、とりわけ乳児用のベッドサイド型寝台に関する。
【０００３】
（関連技術）
従来プレイヤードには、その上側フレームからつり下がった新生児用籠型ベッドの形で、取外し可能な乳児用ベッドが装備されているものがある。しかしながら、そのような寝台は独立型として使用することができない。加えて、この寝台は、通常、深さが約１２インチであり、ベッド表面の高さは成人用ベッドよりも低い。
【発明の概要】
【０００４】
本発明は、乳児用の寝台を対象とする。本発明の目的は、独立型寝台として使用することも、ベッドサイド型寝台を形成する支持構造に装着することもできる寝台を提供することである。
【０００５】
本発明の更なる特徴と長所は、以下に述べる詳細な説明に記載されており、そこから明らかになるか、あるいは、本発明を実施することによってわかる。本発明の目的とその他の長所は、明細書と請求項、ならびに添付図面の中で具体的に挙げられた構成によって明らかになる。
【０００６】
本発明の目的とするところに則ってこれらとその他の長所を達成するために実施例として掲げ広汎に記載しているとおり、本発明は乳児用寝台を提供するものであり：少なくとも４本の脚と、各脚の最上端に装着した少なくとも４個の連結ブロックと、連結ブロック間を連結してフレームを形成する４本のサイドレールバーと、４本のサイドレールバーの少なくとも２本に取り付けて籠型ベッドを形成する複数のウエビングと、を具え、この籠型ベッドの深さが脚の長さよりも短くなっている。この４個の連結ブロックは、それぞれ、サポート構造（プレイヤード）に寝台を装着するフックを具えている。フレームのサイズは、約２４インチ×２７インチで、籠型ベッドは深さ約４インチ、脚は長さ約５インチである。
【０００７】
その他の特徴として、本発明は乳児用の寝台システムを提供するものであり、これは：支持フレームと、この支持フレームに取付けられて吊られている籠型ベッドを具えており、支持フレームの深さが籠型ベッドの深さよりも深く、サポート構造はトップフレームを有しており、寝台がサポート構造の上側フレームに取外し可能に装着され、吊るされている。
【０００８】
上述の一般的な記載と、以下における詳細な記載とは、例示的かつ説明のためのものであり、請求項に記載された発明をより詳しく説明することを意図するものである。
【図面の簡単な説明】
【０００９】
【図１】図１は、本発明の実施例による、独立した状態の寝台を示す斜視図である。
【図２】図２は、本発明の実施例による、独立した状態の寝台を示す正面図である。
【図３】図３は、本発明の実施例による、独立した状態の寝台を示す左側面図である。
【図４】図４は、本発明の実施例による、独立した状態の寝台を示す底面図である。
【図５】図５は、寝台が無い状態のサポート構造（プレイヤード）を示す斜視図である。
【図６】図６は、本発明の実施例による、サポート構造に装着した寝台を示す斜視図である。
【図７】図７は、本発明の実施例による、サポート構造に装着した寝台を示す正面図である。
【図８】図８は、本発明の実施例による、サポート構造に装着した寝台を示す左側面図である。
【図９】図９は、本発明の実施例による、サポート構造に装着した寝台を示す平面図である。
【図１０】図１０は、サポート構造に装着した布製のカバーをかけた状態の寝台を示す図である。
【発明を実施するための形態】
【００１０】
本発明の実施例は、新生児から生後６ヶ月の乳児といった、幼児用の寝台を提供するものである。この寝台はサポート構造上に装着可能であり、ベッドとほぼ同じ高さを有する。この構成は、夜間に自分の横に乳児を寝かせたいと望んでいる新米の母親に場所を提供することができる。図６乃至図９は、サポート構造に装着した寝台を示す。サポート構造は、その上に載せた寝台とベッドとを連結することができる。この寝台はまた、図１乃至図４に見られるとおり、独立して使用できるように、取外し可能である。
【００１１】
図１乃至図４に示すように、寝台１０は４本の短い脚１０２を具えており、各脚の上端には連結ブロック１０４が装着されている。望ましい実施例において、この脚１０２は長さ約５インチである。４本のサイドレールバー１０６が連結ブロック１０４に連結されて、フレーム１０８を形成している。一実施例では、この連結ブロック１０４には、底部と二つの側面に穴があけられており、脚１０２と２本のサイドレールバー１０６がこの穴に差し込まれる。フレーム１０８のサイズは、好ましくは、約２４インチ×２７インチである。クロスバー１１０が、長い方の２本のサイドレールバー１０６に連結されている。複数本のウエビング１１２が、３本のサイドレールバー１０６とクロスバー１１０に取付けられており、フレーム１０８から吊るした状態の籠型ベッド１１４を形成している。一実施例においては、このウエビング１１２は、互いに直交して延びている２つのウエビングセットを具える。籠型ベッド１１４の深さは、脚１０２の長さより短いために、床の上に脚１０２を置いて寝台１０を使用することができる。望ましい実施例では、籠型ベッド１１４は、深さ約４インチである。マットレス及び／又はその他の好適な材料（図示せず）を、籠型ベッド１１４の中に配置する。
【００１２】
望ましい実施例では、脚１０２と連結ブロック１０４がプラスチック製であり、サイドレールバー１０６とクロスバー１１０は直径約０．５インチの管状金属材料でできており、ウエビング１１２はナイロン製である。代替として、ウエビングをメッシュ又は布材、あるいは籠型ベッド１１４を形成するのに適宜のその他の材料に換えてもよい。
【００１３】
寝台１０は、脚１０２とサイドレールバー１０６を連結ブロック１０４から取り外すことによって分解することができる。
【００１４】
選択的に、フレーム１０８上に複数のトップレール１１６が設けられている。図に示す実施例においては、２本の垂直ポスト１１８がクロスバー１１０の両端に連結されてフレーム１０８の上に延在しており、３本の湾曲したトップレール１１６が垂直ポストとフレーム１０８によって支持されている。図１０に示すように、カバー１２０をトップレール１１６の上に配置して、寝台の三側面（後、左、右）に高くなった壁を形成するようにしてもよい。
【００１５】
図５は、寝台１０を装着するサポート構造２０を示す図である。望ましい実施例においては、サポート構造２０がプレイヤードまたはベビーベッドでもある。サポート構造２０は、４本の垂直ポスト２０２と、当該ポスト２０２の端部に連結した４本のサイドレール２０４を具え、トップフレーム２０６を形成している。望ましい実施例においては、トップフレーム２０６は、地上から約２８インチの高さにある。複数のクロスバー２０８が垂直ポスト２０２に、その底部近傍に連結されて、補強構造を形成している。メッシュあるいは布材（図示せず）を垂直ポスト２０２及びサイドレール２０４に取り付けて、プレイヤードの床と四方の壁を形成する。マットレス、及び／又は、その他の適宜の素材（図示せず）をプレイヤードの床に敷くようにしてもよい。
【００１６】
図６乃至図９は、サポート構造２０上に装着した寝台１０を示す。望ましい実施例においては、寝台１０の各連結ブロック１０４は、その上に、サポート構造２０に寝台を装着するためのフック１０４ａを具えている（図１および図３も参照）。フック１０４ａは、寝台１０がサポート構造のトップフレーム２０６から吊られるように、サポート構造２０の２本のサイドレール２０４の上に適合する。
【００１７】
簡易寝台１０のサイドレールバー１０６とクロスバー１１０の長さ、すなわち籠型ベッド１１４のサイズは、設計上の選択である。望ましい実施例においては、長い方の２本のサイドレールバー１０６、すなわち２７インチが選択されており、プレイヤードであるサポート構造のトップフレーム２０６の幅に適合している。籠型ベッド１１４の望ましい幅はサポート構造２０（プレイヤード）のトップフレーム２０６の幅よりも狭いので、クロスバー１１０が用いられている。代替の実施例においては、サポート構造２０が籠型ベッド１１４の所望の幅と同じ幅であり、したがってクロスバー１１０は不要である。この代替の実施例においては、ウエビング１１２が、寝台１０の４本のサイドレールバー１０６に取付けられている。
【００１８】
別の代替実施例においては、ウエビング１１２が対向する２本のサイドレールバー１０６に取付けられてその間で吊られており、クロスバーを用いていない。更に別の実施例においては、ウエビングが３本のサイドレールバー１０６に取付けられており、クロスバーを用いていない。
【００１９】
代替の実施例においては、寝台の４本の脚１０２が、支持フレームで置き換えられている。例えば、支持フレームは、４本の垂直ポストと、このポストの下端４本の垂直ポストを連結している４本の下側水平バーを具えており、垂直ポストと、上側のサイドレールバーと、下側水平バーが、箱形フレームを形成している。籠型ベッドはこの箱形フレームより浅いので、寝台を自在に立てることができる。
【００２０】
上述した寝台は、ポータブルで軽量である。この寝台は、サポート構造への装着、あるいは取り外しを容易に行うことができる。サポート構造に装着した際に、籠型ベッドの底が通常のベッドとほぼ同じ高さレベルにあるために、母親は乳児の世話を容易にすることができる。寝台も、サポート構造から容易に取り外して、別の部屋で独立型の寝台として使用することができる。更に、寝台は、サポート構造なしで、容易に分解することができ、宿泊を伴う旅行で使用するために搬送することも可能である。
【００２１】
本発明の乳児用寝台について、発明の本旨あるいはその範囲を逸脱することなく、様々な改良や変形を行い得ることは当業者には自明である。このように、本発明は、添付の請求項とその同等な範囲内に収まる改良ならびに変更に及ぶ。
【図１】
2011500165.tif 000003
【図２】
2011500165.tif 000004
【図３】
2011500165.tif 000005
【図４】
2011500165.tif 000006
【図５】
2011500165.tif 000007
【図６】
2011500165.tif 000008
【図７】
2011500165.tif 000009
【図８】
2011500165.tif 000010
【図９】
2011500165.tif 000011
【図１０】
2011500165.tif 000012
【国際調査報告】
2011500165.tif 000013